【手続補正書】
【提出日】平成28年10月31日(2016.10.31)
【手続補正１】
【補正対象書類名】特許請求の範囲
【補正対象項目名】全文
【補正方法】変更
【補正の内容】
【特許請求の範囲】
【請求項１】
アンテナ切替えを制御する方法であって、
第１の無線モジュールが第１の動作を実行するために第１のアンテナを使用することを可能にすることと、
前記第１の無線モジュールが前記第１の動作を実行するために前記第１のアンテナを使用している間、第２の動作を実行するための送信アンテナ選択の一部として基準信号の周期的な送信のために第２の無線モジュールが前記第１のアンテナを使用しようと試みることを検出することと、
前記第１の動作のタイプに基づいて、前記第１のアンテナの使用を前記第１の無線モジュールから前記第２の無線モジュールに切り替えることを控えるべきかどうかを決定することとを備え、
切り替えることを控えることは、前記第２の無線モジュールが前記送信アンテナ選択を実行する頻度を低下させることで、前記送信アンテナ選択を実行する前記第２の無線モジュールの能力をスロットリングすることを含む、方法。
【請求項２】
前記第２の無線モジュールがＬＴＥ（登録商標）無線モジュールである、請求項１に記載の方法。
【請求項３】
前記第１のアンテナの使用を切り替えるべきかどうかを前記決定することは、
前記第２の動作のタイプを決定することと、
前記第２の動作の前記タイプが前記第１の動作の前記タイプよりも低い優先度を有するとき、前記第１のアンテナを使用するために前記第２の無線モジュールを切り替えることを控えることとを備える、請求項１に記載の方法。
【請求項４】
前記第１のアンテナの使用を切り替えるべきかどうかを前記決定することは、
前記第２の動作の前記タイプが動作のセット中にあるかどうかを決定することと、
前記第２の動作の前記タイプが動作の前記セット中にあるとき、前記第２の動作の前記タイプが前記より低い優先度を有することを識別することとをさらに備える、請求項３に記載の方法。
【請求項５】
前記第１の動作の前記タイプがボイス呼を備え、動作の前記セットが、
ＬＴＥデータ専用サービス、
オンホールドボイスオーバーＬＴＥ（ＶｏＬＴＥ）サービス、または
高いＬＴＥ信号品質で通信している間のフォアグラウンドＶｏＬＴＥサービスのうちの少なくとも１つを備える、請求項４に記載の方法。
【請求項６】
前記第１のアンテナの使用を切り替えるべきかどうかを前記決定することは、
前記第２の動作の前記タイプが動作の前記セット中にないとき、前記第２の動作の前記タイプが前記第１の動作の前記タイプよりも高い優先度を有することを識別することと、
前記第２の動作の前記タイプが動作の前記セット中にないとき、前記第２の無線モジュールが前記第１のアンテナを使用するように切り替えることとをさらに備える、請求項４に記載の方法。
【請求項７】
前記控えることは、
前記第１の動作の持続時間の間、前記第２の無線モジュールが前記第１のアンテナを使用するように切り替えることを控えること、または
前記第１の動作を実行するために使用されるタイムスロットにおいて、前記第２の無線モジュールが前記第１のアンテナを使用するように切り替えることを控えることを備える、請求項３に記載の方法。
【請求項８】
前記第１の動作の前記タイプが遅延敏感データ呼を備え、動作の前記セットが、
ＬＴＥデータ専用サービス、または
高いＬＴＥ信号品質で通信している間のボイスオーバーＬＴＥ（ＶｏＬＴＥ）サービスのうちの少なくとも１つを備える、請求項４に記載の方法。
【請求項９】
前記第１の動作の前記タイプがアイドルモードを備え、前記第１のアンテナの使用を切り替えるべきかどうかを前記決定することは、
アイドルモードウェイク期間中、前記第２の動作の前記タイプが前記より低い優先度を有することを識別することと、
前記アイドルモードウェイク期間中、前記第２の無線モジュールが前記第１のアンテナを使用するように切り替えることを控えることとを備える、請求項３に記載の方法。
【請求項１０】
前記第１のアンテナの使用を切り替えるべきかどうかを前記決定することは、
アイドルモードスリープ期間中、前記第２の動作の前記タイプが前記アイドルモードよりも高い優先度を有することを識別することと、
前記アイドルモードスリープ期間中、前記第２の無線モジュールが前記第１のアンテナを使用するように切り替えることとをさらに備える、請求項９に記載の方法。
【請求項１１】
前記第１の動作の前記タイプが、ボイス呼、または不良チャネル状態中に行われる動作を備え、
前記第１のアンテナの使用を切り替えるべきかどうかを前記決定することは、
前記第２の動作の前記タイプがサウンディング基準信号（ＳＲＳ）送信であると決定することと、
前記第２の動作の前記タイプが前記ＳＲＳ送信であるとき、前記第２の動作の前記タイプが前記より低い優先度を有することを識別することとをさらに備える、請求項３に記載の方法。
【請求項１２】
前記第１のアンテナの使用を切り替えるべきかどうかを前記決定することが、前記ＳＲＳ送信をドロップすることをさらに備える、請求項１１に記載の方法。
【請求項１３】
アンテナ切替えを制御するための装置であって、
メモリと、
前記メモリに結合され、
第１の無線モジュールが第１の動作を実行するために第１のアンテナを使用することを可能にすることと、
前記第１の無線モジュールが前記第１の動作を実行するために前記第１のアンテナを使用している間、第２の動作を実行するための送信アンテナ選択の一部として基準信号の周期的な送信のために第２の無線モジュールが前記第１のアンテナを使用しようと試みることを検出することと、
前記第１の動作のタイプに基づいて、前記第１のアンテナの使用を前記第１の無線モジュールから前記第２の無線モジュールに切り替えを控えるべきかどうかを決定することとを行うように構成された、少なくとも１つのプロセッサとを備え、
切り替えることを控えることは、前記第２の無線モジュールが前記送信アンテナ選択を実行する頻度を低下させることで、前記送信アンテナ選択を実行する前記第２の無線モジュールの能力をスロットリングすることを含む、装置。
【請求項１４】
前記第２の無線モジュールがＬＴＥ無線モジュールである、請求項１３に記載の装置。
【請求項１５】
前記少なくとも１つのプロセッサは、
前記第２の動作のタイプを決定することと、
前記第２の動作の前記タイプが前記第１の動作の前記タイプよりも低い優先度を有するとき、前記第２の無線モジュールが前記第１のアンテナを使用するように切り替えることを控えることとによって前記第１のアンテナの使用を切り替えるべきかどうかを決定するように構成された、請求項１３に記載の装置。
【請求項１６】
前記少なくとも１つのプロセッサは、
前記第２の動作の前記タイプが動作のセット中にあるかどうかを決定することと、
前記第２の動作の前記タイプが動作の前記セット中にあるとき、前記第２の動作の前記タイプが前記より低い優先度を有することを識別することとによって前記第１のアンテナの使用を切り替えるべきかどうかを決定するようにさらに構成された、請求項１５に記載の装置。
【請求項１７】
前記第１の動作の前記タイプがボイス呼を備え、動作の前記セットが、
ＬＴＥデータ専用サービス、
オンホールドボイスオーバーＬＴＥ（ＶｏＬＴＥ）サービス、または
高いＬＴＥ信号品質で通信している間のフォアグラウンドＶｏＬＴＥサービスのうちの少なくとも１つを備える、請求項１６に記載の装置。
【請求項１８】
前記少なくとも１つのプロセッサは、
前記第２の動作の前記タイプが動作の前記セット中にないとき、前記第２の動作の前記タイプが前記第１の動作の前記タイプよりも高い優先度を有することを識別することと、
前記第２の動作の前記タイプが動作の前記セット中にないとき、前記第２の無線モジュールが前記第１のアンテナを使用するように切り替えることとによって前記第１のアンテナの使用を切り替えるべきかどうかを決定するようにさらに構成された、請求項１６に記載の装置。
【請求項１９】
前記少なくとも１つのプロセッサが、
前記第１の動作の持続時間の間、前記第２の無線モジュールが前記第１のアンテナを使用するように切り替えることを控えること、または
前記第１の動作を実行するために使用されるタイムスロットにおいて、前記第２の無線モジュールが前記第１のアンテナを使用するように切り替えることを控えることによって控えるように構成された、請求項１５に記載の装置。
【請求項２０】
前記第１の動作の前記タイプが遅延敏感データ呼を備え、動作の前記セットが、
ＬＴＥデータ専用サービス、または
高いＬＴＥ信号品質で通信している間のボイスオーバーＬＴＥ（ＶｏＬＴＥ）サービスのうちの少なくとも１つを備える、請求項１６に記載の装置。
【請求項２１】
前記第１の動作の前記タイプがアイドルモードを備え、前記少なくとも１つのプロセッサは、
アイドルモードウェイク期間中、前記第２の動作の前記タイプが前記より低い優先度を有することを識別することと、
前記アイドルモードウェイク期間中、前記第２の無線モジュールが前記第１のアンテナを使用するように切り替えることを控えることとによって、前記第１のアンテナの使用を切り替えるべきかどうかを決定するようにさらに構成された、請求項１５に記載の装置。
【請求項２２】
前記少なくとも１つのプロセッサは、
アイドルモードスリープ期間中、前記第２の動作の前記タイプが前記アイドルモードよりも高い優先度を有することを識別することと、
前記アイドルモードスリープ期間中、前記第２の無線モジュールが前記第１のアンテナを使用するように切り替えることとによって、前記第１のアンテナの使用を切り替えるべきかどうかを決定するようにさらに構成された、請求項２１に記載の装置。
【請求項２３】
前記第１の動作の前記タイプが、ボイス呼、または不良チャネル状態中に行われる動作を備え、
前記少なくとも１つのプロセッサは、
前記第２の動作の前記タイプがサウンディング基準信号（ＳＲＳ）送信であると決定することと、
前記第２の動作の前記タイプが前記ＳＲＳ送信であるとき、前記第２の動作の前記タイプが前記より低い優先度を有することを識別することとによって、前記第１のアンテナの使用を切り替えるべきかどうかを決定するようにさらに構成された、請求項１５に記載の装置。
【請求項２４】
前記少なくとも１つのプロセッサが、前記ＳＲＳ送信をドロップするようにさらに構成された、請求項２３に記載の装置。
【請求項２５】
アンテナ切替えを制御するための装置であって、
第１の無線モジュールが第１の動作を実行するために第１のアンテナを使用することを可能にするための手段と、
前記第１の無線モジュールが前記第１の動作を実行するために前記第１のアンテナを使用している間、第２の動作を実行するための送信アンテナ選択の一部として基準信号の周期的な送信のために第２の無線モジュールが前記第１のアンテナを使用しようと試みることを検出するための手段と、
前記第１の動作のタイプに基づいて、前記第１のアンテナの使用を前記第１の無線モジュールから前記第２の無線モジュールに切り替えることを控えるべきかどうかを決定するための手段とを備え、
切り替えることを控えることは、前記第２の無線モジュールが前記送信アンテナ選択を実行する頻度を低下させることで、前記送信アンテナ選択を実行する前記第２の無線モジュールの能力をスロットリングすることを含む、装置。
【請求項２６】
前記第１のアンテナの使用を切り替えるべきかどうかを決定するための前記手段は、
前記第２の動作のタイプを決定することと、
前記第２の動作の前記タイプが動作のセット中にあるかどうかを決定することと、
前記第２の動作の前記タイプが動作の前記セット中にあるとき、前記第２の動作の前記タイプがより低い優先度を有することを識別することと、
前記第２の動作の前記タイプが前記第１の動作の前記タイプよりも前記より低い優先度を有するとき、前記第２の無線モジュールが前記第１のアンテナを使用するように切り替えることを控えることとを行うように構成された、請求項２５に記載の装置。
【請求項２７】
前記第１のアンテナの使用を切り替えるべきかどうかを決定するための前記手段は、
前記第２の動作の前記タイプが動作の前記セット中にないとき、前記第２の動作の前記タイプが前記第１の動作の前記タイプよりも高い優先度を有することを識別することと、
前記第２の動作が動作の前記セット中にないとき、前記第２の無線モジュールが前記第１のアンテナを使用するように切り替えることとを行うようにさらに構成された、請求項２６に記載の装置。
【請求項２８】
ワイヤレス通信のためのコンピュータ実行可能コードを記憶した非一時的なコンピュータ可読媒体であって、
第１の無線モジュールが第１の動作を実行するために第１のアンテナを使用することを可能にし、
前記第１の無線モジュールが前記第１の動作を実行するために前記第１のアンテナを使用している間、第２の動作を実行するための送信アンテナ選択の一部として基準信号の周期的な送信のために第２の無線モジュールが前記第１のアンテナを使用しようと試みることを検出し、
前記第１の動作のタイプに基づいて、前記第１のアンテナの使用を前記第１の無線モジュールから前記第２の無線モジュールに切り替えることを控えるべきかどうかを決定するためのコードを備え、
切り替えることを控えることは、前記第２の無線モジュールが前記送信アンテナ選択を実行する頻度を低下させることで、前記送信アンテナ選択を実行する前記第２の無線モジュールの能力をスロットリングすることを含む、非一時的なコンピュータ可読媒体。
【請求項２９】
前記第１のアンテナの使用を切り替えるべきかどうかを決定するステップを実行する前記コードは、
前記第２の動作のタイプを決定することと、
前記第２の動作の前記タイプが動作のセット中にあるかどうかを決定することと、
前記第２の動作の前記タイプが動作の前記セット中にあるとき、前記第２の動作の前記タイプがより低い優先度を有することを識別することと、
前記第２の動作の前記タイプが前記第１の動作の前記タイプよりも前記より低い優先度を有するとき、前記第２の無線モジュールが前記第１のアンテナを使用するように切り替えることを控えることとを行うように構成された、請求項２８に記載のコンピュータ可読媒体。
【請求項３０】
前記第１のアンテナの使用を切り替えるべきかどうかを決定する前記ステップを実行する前記コードは、
前記第２の動作の前記タイプが動作の前記セット中にないとき、前記第２の動作の前記タイプが前記第１の動作の前記タイプよりも高い優先度を有することを識別することと、
前記第２の動作が動作の前記セット中にないとき、前記第２の無線モジュールが前記第１のアンテナを使用するように切り替えることとを行うようにさらに構成された、請求項２９に記載のコンピュータ可読媒体。
【請求項３１】
前記スロットリングすることは、前記第１の無線モジュールが前記第１のアンテナを使用する間、前記第２の無線モジュールによる送信アンテナ選択の実行を除去することを含む、請求項１に記載の方法。